(57)【要約】【課題】  読取符号を確実に読み取れて簡単な構造で容易に製造でき、部品及び製造コストを低減できる計量検出装置を提供する。【解決手段】  箱状の本体１０内で直列に複数配列した各回転円筒体１２の外周に定角度間隔で０〜９までの数値１２ａを各々表記して被計量対象の量にそれぞれ対応して所定回転角度に各々回転させて数値表示する計量検出装置であって、本体１０内で複数配列した各回転円筒体１２の外周に数値１２ａの横に並べで表記される読取符号１２ｂを備え、該読取符号１２ｂは横に並んだ各数値１２ａを符号化するとともに、本体１０には外方から覗き込んだ場合に全回転円筒体１２の横一列に並んだ数値１２ａを露出させることで被計量対象の量を表示して該数値１２ａを横に表記した読取符号１２ｂにより読み取り可能に開口する覗窓１０ａを備える。【選択図】      図１
2006308530.tif 000002
【特許請求の範囲】
【請求項１】
箱状の本体内で直列に複数配列した各回転円筒体の外周に定角度間隔で０〜９までの数値を各々表記して被計量対象の量にそれぞれ対応して所定回転角度に各々回転させて数値表示する計量検出装置において、
前記本体内で複数配列した前記各回転円筒体の外周に前記数値の横に並べで表記される読取符号を備え、該読取符号は横に並んだ前記各数値を符号化するとともに、前記本体には外方から覗き込んだ場合に前記全回転円筒体の横一列に並んだ前記数値を露出させることで前記被計量対象の量を表示して該数値を横に表記した前記読取符号により読み取り可能に開口する覗窓を備えたことを特徴とする計量検出装置。
【請求項２】
請求項１に記載の計量検出装置において、
前記覗窓には、前記開口した面を封止する透明板を有し、該透明板に塗布されて前記本体内で回転して通過する前記読取符号の上下を隠す目隠し部と、この目隠し部の中央が途切れて透過して見える透過部とを備えたことを特徴とする計量検出装置。
【請求項３】
請求項２に記載の計量検出装置において、
前記読取符号は、前記回転円筒体の外周に沿って０〜９まで表記された前記数値と数値との間に表記されない途切れた空白部を介在し、該空白部の幅をＡ、前記透明板の透過部の幅をＢとした場合、Ａ＞＝Ｂになるように形成したことを特徴とする計量検出装置。
【請求項４】
請求項１〜３いずれかに記載の計量検出装置において、
前記読取符号は、バーコードであることを特徴とする計量検出装置。
【請求項５】
請求項１〜４いずれかに記載の計量検出装置において、
前記本体には、前記覗窓を開口させた表面に、型式番号、機器番号などの管理番号と、この各管理番号に対応させて符号化した新たな読取符号とを同時に表記することを特徴とする計量検出装置。
【請求項６】
請求項５に記載の計量検出装置において、
前記管理番号は、顧客の新規申し込み時に発行される顧客番号とともに、申し込みの内容を記入する管理票に表記することで、この管理票と前記本体との相互で照らし合わせて管理することを特徴とする計量検出装置。
【発明の詳細な説明】
【技術分野】
【０００１】
本発明は、計量検出装置に係り、より詳細には、箱状の本体内で直列に複数配列した各回転円筒体を備えて該外周に定角度間隔で０〜９までの数値を各々表記して回転させることで被計量対象の量を数値表示する計量検出装置に関する。
【背景技術】
【０００２】
従来、計量検出装置は、箱状の本体内で直列に複数配列した各回転円筒体の外周に定角度間隔で０〜９までの数値を各々表記し、検出手段で検出された被計量対象の量にそれぞれ対応して所定回転角度に回転させて数値表示することで、被計量対象の量を容易に視認によって計量できる構造がよく知られている。そして、この回転円筒体には、数値に対応して符号化した読取符号を更に表記して、被計量対象の量を読取符号により簡単に読み取って検出できるように形成していた（例えば、特許文献１参照。）。
【特許文献１】特開平１１−２０１７９７号公報
【０００３】
前述した構造による実施の形態を、図５を参照して説明する。図５は、このような回転円筒体に数値と読取符号とを同時に表記した従来の計量検出装置の一実施形態を示す構成図である。
図５に示すように、従来の計量検出装置の一実施形態は、箱状の本体２０内で直列に複数配列した各回転円筒体２２の外周に定角度間隔で０〜９までの数値２２ａを各々表記して検出手段（図示せず）で検出された被計量対象の量にそれぞれ対応して所定回転角度に各々回転して表示するように形成されている。ここで、本体２０内で複数配列した各回転円筒体２２の外周には、０〜９までの数値２２ａを表記するとともに、この数値２２ａを符号化した読取符号２２ｂを数値２２ａと重ねた下地として表記している。また、本体１０には、外方から覗き込んだ場合に、全回転円筒体２２の回転軸方向に横一列に並んだ数値２２ａのみが視認できるように露出させることで被計量対象の量を表示して読取符号２２ｂにより読み取可能に開口する覗窓２０ａを備えている。
【０００４】
このような構成からなる従来の計量検出装置の一実施形態は、本体２０の開口した覗窓２０ａから図示されていない読取り器によって走査して各回転円筒体２２の横一列に並んだ読取符号２２ｂを読み取ることで、所定桁の数値２２ａ（図５では４桁の数値：６１４５）を順に読み取ることができる。これにより読み取った数値２２ａは、被計量対象の量として検針でき、種々の管理を容易に行うことができる。
【０００５】
このように従来の計量検出装置は、被計量対象の量を表示する回転円筒体２２の各数値２２ａに対応した読取符号２２ｂを、数値２２ａに重ねて下地として表記することで、読取り器を用いて誰にでも容易に検針でき、製造上の管理、検査上の管理、顧客管理、資材管理などの種々の管理の効率化を図っていた。
【発明の開示】
【発明が解決しようとする課題】
【０００６】
しかしながら、従来の計量検出装置では、図５に示したように、回転円筒体２２の表面に表記した数値２２ａに重ねて下地として読取符号２２ｂを更に表記するため、数値２２ａの下地に読み取り可能な読取符号２２ｂを表記する場合、数値２２を避けて読取符号２２ｂを表記しなければならず、その製造工程は困難で複雑であり、部品及び装置の製造コストが高くなるとう不具合があった。
【０００７】
本発明は上記の点に鑑みなされたもので、その目的は、読取符号を確実に読み取れて簡単な構造で容易に製造でき、部品及び製造コストを低減できる計量検出装置を提供することにある。
【課題を解決するための手段】
【０００８】
本発明は上述した課題を解決するために、箱状の本体内で直列に複数配列した各回転円筒体の外周に定角度間隔で０〜９までの数値を各々表記して被計量対象の量にそれぞれ対応して所定回転角度に各々回転させて数値表示する計量検出装置であって、本体内で複数配列した各回転円筒体の外周に数値の横に並べで表記される読取符号を備え、該読取符号は横に並んだ各数値を符号化するとともに、本体には外方から覗き込んだ場合に全回転円筒体の横一列に並んだ数値を露出させることで被計量対象の量を表示して該数値を横に表記した読取符号により読み取り可能に開口する覗窓を備える。
【０００９】
ここで、覗窓には、開口した面を封止する透明板を有し、該透明板に塗布されて本体内で回転して通過する読取符号の上下を隠す目隠し部と、この目隠し部の中央が途切れて透過して見える透過部とを備えることが好ましい。また、読取符号は、回転円筒体の外周に沿って０〜９まで表記された数値と数値との間に表記されない途切れた空白部を介在し、該空白部の幅をＡ、透明板の透過部の幅をＢとした場合、Ａ＞＝Ｂになるように形成することが好ましい。また、読取符号は、バーコードであることが好ましい。また、本体には、覗窓を開口させた表面に、型式番号、機器番号などの管理番号と、この各管理番号に対応させて符号化した新たな読取符号とを同時に表記することが好ましい。また、管理番号は、顧客の新規申し込み時に発行される顧客番号とともに、申し込みの内容を記入する管理票に表記することで、この管理票と本体との相互で照らし合わせて管理することが好ましい。
【発明の効果】
【００１０】
以上、本発明による計量検出装置によれば、数値の横に並べで読取符号を各々別個に表記させた簡単な構造のため、数値と読取符号とを回転円筒体の外周に容易に形成でき、部品及び装置の製造コストを大幅に低減することができる。
【発明を実施するための最良の形態】
【００１１】
次に、添付図面を参照して本発明による計量検出装置の実施の形態を詳細に説明する。図１は、本発明による計量検出装置の実施形態を示す構成図である。また、図２は、図１に示した透明板１４の装着有無を各々示す図であり、図２（ａ）は透明板１４を装着しない状態を、図２（ｂ）は透明板１４を装着した状態を各々示している。また、図３は、図１に示した回転円筒体１２の外周面を展開させた状態を示す展開図である。また、図４は、図１に示した本体１０から被計量対象の量を読み取る状態を示す図である。
【００１２】
図１に示すように、本発明による計量検出装置の実施形態は、例えば、電力計、ガスメータ、水道メータなどに採用され、箱状の本体１０内で直列に複数配列した各回転円筒体１２を備え、この各回転円筒体１２の外周に定角度間隔で０〜９までの数値１２ａを各々表記して検出手段（図示せず）で検出された被計量対象の量にそれぞれ対応して所定回転角度に各々回転させて数値表示するように形成されている。また、本実施の形態では、本体１０内で複数配列した各回転円筒体１２の外周に数値１２ａの横に並べて表記される読取符号１２ｂを備えており、この読取符号１２ｂは横に並んだ各数値１２ａを符号化して表記している。また、読取符号１２ｂは、例えば、バーコード、ＱＲコードなどの符号化したコードにより形成（図１ではバーコードで形成）されている。従って、本実施の形態は、図１に示した従来技術のように各回転円筒体の外周に数値と読取符号とを重ねた表記ではなく、各々別々に表記することで、数値１２ａと読取符号１２ｂとを回転円筒体１２の外周に容易に形成でき、製造し易い簡単な構造に形成できるとともに、部品及び装置の製造コストを大幅に低減することができる。例えば、読取符号１２ｂのみをシール化することが容易になり、これを回転円筒体１２の外周に沿って貼り付ける単純な構造に形成することが可能である。
【００１３】
ここで、本体１０には、外方から覗き込んだ場合に全回転円筒体１２の回転軸方向に横一列で並んだ数値１２ａだけを露出させて視認させることで被計量対象の量を表示し、同時にその数値を横に表記した読取符号１２ｂにより読み取り可能に開口する覗窓１０ａを備えている。また、本体１０は、覗窓１０ａを開口した横に並んで更に小さく開口する小覗窓１０ｂを設けるとともに、この小覗窓１０ｂの内部に配置されて回転円筒体１２の横に並んで小型の円柱形で外周に０〜９の数値を表記して回転する小回転円筒体１３を設けることで、被計量対象の量における小数点以下の１桁を表示可能に形成している。この小回転円筒体１３は、０〜９の数値の横に読取符号を表記しておらず、被計量対象の量における小数点以下の値は読み取らず表示のみとしている。ここで、本体１０に開口した覗窓１０ａは、通常、開口した開口面を、透明樹脂、アクリル、ガラスなどの透明材からなる透明板１４により封止し、外から回転円筒体１２を触れないように形成している。また、小覗窓１０ｂにも、図示されていない透明板を装着して封止し、外から小回転円筒体１３を触れないように形成している。この際、覗窓１０ａの透明板１４には、表面に塗布されて本体１０内で複数回転して通過する各読取符号１２ｂの上下に各々延在して覗窓１０ａで上下両端が見えないように隠す目隠し部１４ａと、この目隠し部１４ａで挟まれた中央を所定の隙間だけ塗布材が途切れるように形成してこの途切れた中央から回転する読取符号１２が透過して見えるように設けた透過部１４ｂとを各々備えている。一方、読取符号１２ｂは、回転円筒体１２の外周に沿って０〜９まで表記された数値１２ａと数値１２ａとの間に、途切れて表記されない空白部１２ｃを介在しており、この空白部１２ｃが数値１２ａ間を区切ることで同時に２つの数値１２ａが読み取られるエラーの発生を防止している。この際、図１に示した読取符号１２ｂ間に設けた空白部１２ｃの幅をＡ、透明板１４に設けた透過部１４ｂの幅をＢとした場合、このＡとＢとの関係がＡ＞＝Ｂの式を満すように形成されている。
【００１４】
より詳しく説明すると、本実施の形態では、図２（ａ）に示すように、覗窓１０ａに透明板１４（図１参照）が装着されていない場合、回転円筒体１２が回転する数値１２ａの変わりぎわ（図２では５と６との変わりぎわ）において、覗窓１０ａから空白部１２ｃを介して上下２つの読取符号１２ｂが表示されており、読取り器（図３参照）による読み取り時にエラーを発生させてしまう。特に、数値１２ａの繰り上がり時（例えば、１９→２０といった変わりぎわ）においては，数値１２ａの位置が上方にずれる（即ち、１と９とが共に上方にずれる）ため，その場合，読取符号１２ｂ自体もずれて符号としての体をなさなくなってしまい、原理的に読取が不可能となる。このエラーは、読取り器が数値１２ａの変わりぎわ、即ち、空白部１２ｃの露出状態を検出して所定の幅以上露出した時に読み取れないように形成することもできるが、複雑な構造になり新たに部品コストがかかってしまう。そこで、本実施の形態では、図２（ｂ）に示すように、覗窓１０ａに目隠し部１４ａと透過部１４ｂとを有した透明板１４を装着することで、前述したエラーを簡単な構造で安価に回避している。
【００１５】
また、読取符号１２ｂは、前述したバーコードと、ＱＲコード（２次元バーコド）とのいずれかを選択することによっても、読み取りエラーを防止できる。即ち、ＱＲコードでは、図２（ａ）に示すように、覗窓１０ａから読取符号１２ｂ全体が露出せず、少しでも欠けると読み取りが不可能になるため、読み取りエラーが発生する確率が高くなる。これに対してバーコードは、覗窓１０ａから上半分または下半分が隠れても、露出した少しの部分で読み取りが可能（金太郎飴のような構造）なため、読み取りエラーを最小限に抑えることができる。従って、バーコードは、回転円筒体１２の外周に極力長く表記することが最も好ましい。このように読取符号１２ｂは、バーコードにより回転円筒体１２の円周方向に沿って長く表記することで、数値１２ａの繰り上がり時に数値１２ａとともに覗窓１０ａから上半分または下半分が隠れても、覗窓１０ａ上に長く延在して読み取り可能に表記することができ，読み取り不可能な状況を格段に少なくすることができる。尚、本実施の形態では、以下、読取符号１２ｂにバーコードを用いた場合の実施の形態について詳細に説明する。
【００１６】
ここで、図３を参照して、読取符号１２ｂの長さＣを、前述したＡ＞＝Ｂの式を満すように、回転円筒体１２の外周に表記する方法について、以下詳細に説明する。まず、回転円筒体１２の半径をｒとした場合、その外周の長さは２πｒとなる。そして、図１に示した透明板１４の透過部１４ｂの幅Ｂが定まると、前述したＡ＞＝Ｂの式に基づいて、回転円筒体１２の外周に表記する空白部１２ｃの幅Ａも決定する。これを踏まえて、図３に示すように、回転円筒体１２の外周の長さ２πｒに対し、０〜９の数値１２ａに各々対応させて表記される１０箇所の空白部１２ｃの幅Ａと、読取符号１２ｂの長さＣとの関係式は、Ａ×１０＋Ｃ×１０＝２πｒなる式で表すことができる。この式から読取符号１２ｂの長さＣを求めた場合、Ｃ×１０＝２πｒ−Ａ×１０となり、よって、長さＣは、Ｃ＝πｒ／５−Ａとなる。これにより読取符号１２ｂの長さＣは、前述したＡ＞＝Ｂの式を満す長さの値として求められて回転円筒体１２の外周に表記することができる。
【００１７】
従って、読取符号１２ｂの長さＣは、透明板１４の透過部１４ｂの幅Ｂが定まり、空白部１２ｃの幅Ａを決めることで、その長さが必然的に決定する。また、読取符号１２ｂは、前述したように長さＣを長く形成する場合、透明板１４の透過部１４ｂの幅Ｂを短く調節（即ち、空白部１２ｃの幅Ａを短くして長さＣが長くなるように調節）することで、前述した関係式の範囲でその長さＣを自由に変えることができる。そして、読取符号１２ｂを回転円筒体１２の外周に表記した後、この読取符号１２ｂの横に０〜９の数値１２ａを各々表記することで回転円筒体１２を形成することができる。ここで、図３に示した数値１２ａの高さＤは、自由な大きさに表記することが可能であるが、好ましくは、数値と数値とが重ならない程度に所定の間隔をあけて表記することが望ましい。この数値１２ａは、高さＤを低く（小さく）表記すれば覗窓１０ａで数値全体を長い間表示できるが、覗窓１０ａから全体が隠れる時間は早くなってしまう。一方、数値１２ａの高さＤを高く（大きく）表記すれば、覗窓１０ａで少しでも長く表示できるが、数値の一部が欠ける（隠れる）時間は早くなってしまう。従って、数値１２ａの高さＤは、種々の使用状況に合わせて適宜選択することが好ましい。また、数値１２ａは、図２（ａ）及び図３に示したように、回転円筒体１２の外周面に表記する場合、読取符号１２ｂの位置よりやや上方にずらして表記することが好ましい。これにより読取符号１２ｂは、回転円筒体１２が回転して数値１２ａが覗窓１０ａを通過して一部隠れ始めた場合でも、この数値１２ａより下方にずれて延在する一部によってしばらくは覗窓１０ａに長く表示させることができる。これは数値１２ａが、例えば、５から６への変わりぎわにおいて、５．０〜５．４（小数点以下を四捨五入して繰り上がらない値）までは５として読み取れることを示している。
【００１８】
そして、このような構成からなる本実施の形態では、透明板１４により、図２（ｂ）にした覗窓１０ａの枠内に１つの数値１２ａ（６、４、１）が表示された場合は透過部１４ｂから１つの読取符号１２ｂのみを透過して読み取ることができ、また数値１２ａの変わりぎわ（５と６の変わりぎわ）の場合には読み取りエラーの原因になる上下２つの読取符号１２ｂ（図２（ａ）参照）を目隠し部１４ａによって隠すことができる。従って、覗窓１０ａでは、透明板１４により数値１２ａの変わりぎわに読取符号１２ｂが上下２つ表示されて読み取りエラーになる原因を完全に防止でき、透過部１４ｂで読取符号１２ｂ又は空白部１２ｃ（図２（ｂ）参照）いずれかを判別するだけの簡単な構造になり、読み取りエラーを安価に回避できる。
【００１９】
再び、図１を参照して本体１０には、覗窓１０ａを開口した周囲の表面に、例えば、型式番号、機器番号などの管理番号１６ａと、この各管理番号１６ａに対応させて符号化した新たな読取符号１６ｂとを、同時に表記して種々の情報を読取可能に設けている。この際、本体１０が電力計の場合、例えば、管理番号１６ａの型式番号に単相、単三、三相などの情報を、機器番号に低圧、高圧などの情報を各々表示することが好ましい。また、この管理番号１６ａは、型式番号、機器番号のみを含んでなることに限定されるものではなく、例えば、電灯または動力などの使用箇所を示す方式、１００Ａなどの容量、誘導型または電子式などの種類を各々含んで表示、又はこれらの組み合わせにより表示することも可能である。
【００２０】
また、このような管理番号１６ａは、顧客の新規申し込み時に発行される顧客番号とともに、例えば、バーコードシール化して申し込みの内容を記入する管理票（図示せず）に貼り付けて表記することで、この管理票と本体１０との相互で自動に照らし合わせて管理することもできる。即ち、管理票のバーコードシールから本体１０を容易に特定できるとともに、逆に、本体１０の管理番号１６ａから管理票に記載された申し込み時の契約内容を検索することもできる。
【００２１】
このように形成された本発明による計量検出装置の実施形態は、例えば、顧客の申し込み内容に応じて本体１０を庫出し（出庫）する場合、管理票のバーコードシールから情報を読み込んだ後、その情報を本体１０を庫出しする庫出し装置（図示せず）にバーコード登録することで、以後、この管理票の顧客番号、型式番号、機器番号により管理して容易に庫出しすることが可能になる。この庫出し管理では、例えば、本体１０を庫出しする際、この庫出しする本体１０に表記した読取符号１６ｂ（例えば、型式番号など）を読み込むことで、型式の確認を自動的に行え、誤った型式の本体を庫出ししても、警報が鳴って知らせてくれる。
【００２２】
また、本体１０が電力計の場合、配電系統の安全な運転管理に伴って本体１０を常時、保守及び点検することが重要であり、例えば、毎月の検針及び定期的な本体１０の取替などの作業が必要とされる。ここで、毎月の検針時では、図４に示すように、本体１０の覗窓１０ａに読取り器１を近付けて、この覗窓１０ａから数値１２ａの横に表記した読取符号１２ｂを読み込むことにより、何回も数値１２ａを確認することなく手間をかけずに瞬時に読み取りでき、数値１２ａを間違って誤針することがないため顧客との信頼を得ることができる。従って、毎月の検針作業が、誰にでも行うことができ、管理が容易で、且つ、人員削減にもつながる。
一方、本体１０の取替え作業は、通常、一定の年数毎（例えば、１０年または１５年毎）に取替える必要があり、管理者が変わっても、図４に示した読取り器１を用いて読取符号１６ｂにより管理番号１６ａを読み込むことで、取替えるべき本体１０を短時間で特定して取り付けることができ、誤って乗率の違う本体を取り付けることがなく、誤動作も防止でき、よって顧客との信頼を得ることができる。
【００２３】
このように本発明による計量検出装置の実施形態によると、回転円筒体１２の外周に数値１２ａの横に並べで読取符号１２ｂを各々別個に表記させた簡単な構造のため、数値１２ａと読取符号１２ｂとを回転円筒体１２の外周に容易に形成でき、部品及び装置の製造コストを大幅に低減することができる。
また、本実施形態は、覗窓１０ａに透明板１４を設けることで、この覗窓１０ａで数値１２ａの変わりぎわに読取符号１２ｂが上下２つ表示されて読み取りエラーになる原因を完全に防止でき、且つ、読取符号１２ｂをバーコードにすることにより覗窓１０ａで一部が欠けても読み取り可能な構造に形成できる。
さらに、本実施形態では、管理番号１６ａをバーコードシール化して管理票に貼り付けて本体１０と管理票との相互で管理できるため、本体１０の庫出し時、取替え時、検針時において、全ての管理を自動で処理でき、人員的な手間がはぶけ、誤動作及び誤針がなくなり、人員削減につながる。また、誤針、誤計量がなくなると顧客との信頼を得ることができる。
【００２４】
以上、本発明による計量検出装置の実施の形態を詳細に説明したが、本発明は前述した実施の形態に限定されるものではなく、その要旨を逸脱しない範囲で変更可能である。
例えば、庫出しによる製造上の作業と、検針及び取替えなどの検査上の作業との両方に各々採用した実施の形態を詳細に説明したが、これに限定されるものではなく、顧客管理または資材管理などの種々の管理にも採用して効率化を図ることもできる。
【図面の簡単な説明】
【００２５】
【図１】本発明による計量検出装置の実施形態を示す構成図。
【図２】図１に示した透明板の装着有無を各々示す図。
【図３】図１に示した本体から被計量対象の量を読み取る状態を示す図。
【図４】図１に示した回転円筒体の外周面を展開させた状態を示す展開図。
【図５】従来の計量検出装置の一実施形態を示す構成図。
【符号の説明】
【００２６】
１    読取り器
１０    本体
１０ａ  覗窓
１２    回転円筒体
１２ａ  数値
１２ｂ  読取符号
１２ｃ  空白部
１４    透明板
１４ａ  目隠し部
１４ｂ  透過部
１６ａ  管理番号
１６ｂ  読取符号
【図１】
2006308530.tif 000003
【図２】
2006308530.tif 000004
【図３】
2006308530.tif 000005
【図４】
2006308530.tif 000006
【図５】
2006308530.tif 000007